(57)【要約】【課題】  専門知識がなくとも、複数のセンサを分散設置し、一元的に管理して、容易に利用することが可能な検出システム等を提案する。【解決手段】  検出システム１は、サーバ３と、複数のセンサ５と、情報処理装置７を備える。サーバ３は、複数のセンサ５を仮想化した仮想化センサを管理する。センサ５の本体部２５は、通信部２３及び測定部２７と、着脱可能に接続されている。利用者は、あるセンサ５nの構成を変更したり所定の位置に設置したりすると、情報処理装置７を操作して、サーバ３が管理する仮想化センサの情報を変更する。サーバ３は、仮想化センサの情報が変更されたセンサ５nに対して、実センサ情報変更指示を送信する。センサ５nの実センサ情報変更部３７は、実センサ情報変更指示に従い、実センサ情報記憶部３３の情報を変更する。制御部３５は、変更後の実センサ情報に従い、センサ５の動作を制御する。【選択図】図１
2014038568.tif 000002
【特許請求の範囲】
【請求項１】
複数のセンサと、前記複数のセンサと通信するサーバとを備える検出システムであって、
前記各センサは、
測定処理を行う測定部と、
前記サーバと通信を行う通信部と、
少なくとも前記測定部との間は着脱可能に接続する本体部とを備え、
前記本体部は、
実センサ設定情報を記憶する実センサ情報記憶手段と、
前記実センサ情報記憶手段に記憶された前記実センサ設定情報に従って前記測定部及び前記通信部を制御する制御手段と、
前記実センサ情報記憶手段に記憶された前記実センサ設定情報を変更する実センサ情報変更手段を有し、
前記サーバは、
前記複数のセンサのそれぞれを仮想化した複数の仮想センサの設定を示す仮想センサ情報を記憶する仮想センサ情報記憶手段と、
情報処理装置から前記仮想センサ情報の一部又は全部を変更する仮想センサ情報変更指示を受信する受信手段と、
前記仮想センサ情報変更指示に従って前記仮想センサ情報記憶手段に記憶された前記仮想センサ情報を変更する仮想センサ情報変更手段と、
対応する前記仮想センサの前記仮想センサ情報が変更された前記センサに対して、前記仮想センサ情報の変更に応じた前記実センサ設定情報の変更を指示する実センサ情報変更指示を送信する送信手段を備え、
前記センサにおいて、
前記通信部は、前記実センサ情報変更指示を受信するものであり、
前記実センサ情報変更手段は、前記実センサ情報変更指示に従って前記実センサ情報記憶手段に記憶された前記実センサ設定情報を変更するものであり、
前記制御手段は、変更された前記実センサ設定情報に従って前記測定部及び前記通信部を制御するものである、検出システム。
【請求項２】
前記センサにおいて、
前記本体部と前記通信部との間は、着脱可能に接続するものであり、
前記通信部は、前記制御手段の制御に従って、前記測定部が測定して収集した測定情報を前記サーバに送信するものであり、
前記サーバが備える前記受信手段は、前記測定情報を受信するものであり、
前記サーバは、
受信した前記測定情報を記憶する測定結果記憶手段と、
前記測定結果記憶手段が記憶する前記測定情報を、前記センサが測定した測定値の種類及び／又は前記センサが測定した測定環境によって情報処理を行う測定情報分析手段を備える、請求項１記載の検出システム。
【請求項３】
サーバに測定情報を送信するセンサであって、
測定処理を行って前記測定情報を収集する測定部と、
前記サーバと通信する通信部と、
前記測定部及び前記通信部と着脱可能に接続する本体部とを備え、
前記本体部は、
実センサ設定情報を記憶する実センサ情報記憶手段と、
前記通信部が前記サーバから実センサ情報変更指示を受信すると、前記実センサ情報変更指示に従って前記実センサ情報記憶手段に記憶された前記実センサ設定情報を変更する実センサ情報変更手段と、
変更された前記実センサ設定情報に従って前記測定部及び前記通信部を制御する制御手段とを有する、センサ。
【請求項４】
複数のセンサの実センサ設定情報を管理する設定情報管理方法であって、
前記各センサは、
測定処理を行う測定部と、
サーバとの通信を行う通信部と、
少なくとも前記測定部との間は着脱可能に接続する本体部とを備え、
前記サーバは、前記複数のセンサのそれぞれを仮想化した複数の仮想センサの設定を示す仮想センサ構成情報を記憶する仮想センサ情報記憶手段を備え、
前記サーバが備える受信手段が、情報処理装置から前記複数の仮想センサ情報の一部又は全部を変更する仮想センサ情報変更指示を受信する受信手段と、
前記サーバが備える仮想センサ情報変更手段が、前記仮想センサ情報変更指示に従って前記仮想センサ情報記憶手段に記憶された前記仮想センサ情報を変更する仮想センサ情報変更ステップと、
前記サーバが備える送信手段が、対応する前記仮想センサの前記仮想センサ情報が変更された前記センサに対して、前記仮想センサ構成情報に応じた前記実センサ設定情報の変更を指示する実センサ情報変更指示を送信する実センサ情報変更指示送信ステップと、
前記センサが備える前記通信部が、前記実センサ情報変更指示を受信する実センサ情報変更指示受信ステップと、
前記センサが備える実センサ情報変更手段が、前記実センサ情報変更指示に従って実センサ情報記憶手段に記憶された前記実センサ設定情報を変更する実センサ情報変更ステップと、
前記センサが備える制御手段が、変更された前記実センサ設定情報に従って前記測定部及び前記通信部を制御する制御ステップを含む設定情報管理方法。
【請求項５】
測定処理を行って測定情報を収集する測定部と着脱可能に接続し、サーバと通信する通信部と接続するコンピュータにおいて、
実センサ情報変更手段が、前記通信部が前記サーバから実センサ情報変更指示を受信すると、前記実センサ情報変更指示に従って実センサ情報記憶手段に記憶された実センサ設定情報を変更する実センサ情報変更ステップと、
制御手段が、変更された前記実センサ設定情報に従って前記測定部及び前記通信部を制御する制御ステップを実現するためのプログラム。
【発明の詳細な説明】
【技術分野】
【０００１】
本願発明は、検出システム、センサ、設定情報管理方法及びプログラムに関し、特に、複数のセンサと、前記複数のセンサと通信するサーバとを備える検出システム等に関する。
【背景技術】
【０００２】
従来、例えば、非特許文献１に記載されている「みまもりほっとライン」にあるように、ポット等の特定の装置に対する操作を検出して、お年寄りなどの無事を確認するサービスが実現されている。
【先行技術文献】
【非特許文献】
【０００３】
【非特許文献１】みまもりほっとライン−親の元気がポットでわかる−象印マホービン株式会社、［online］、インターネット〈URL：http://www.mimamori.net/〉
【発明の概要】
【発明が解決しようとする課題】
【０００４】
例えば非特許文献１の「みまもりほっとライン」は、ポットというハードウエアをブラックボックス化し、生活環境下でのポットに対する積極的な利用によって計測処理を行い、これをメールにて通知するものである。これは、特別なハードウエアを開発して測定処理を行い、これに特化したサービスを提供するものと評価することができる。このように、現在では、一般家庭などでのセンサの利用は、計測の内容及び設置場所が固定され、ハードウエアをブラックボックス化し、計測環境を業者の支配下においた状態のものが中心となっている。
【０００５】
しかしながら、本来、センサは、温度・湿度・圧力など、様々なデータが収集可能である。さらに、測定情報は、複数設置場所で、時々刻々と得ることができる。しかしながら、測定内容が多岐にわたり、かつ、測定量が膨大となる。そのため、専門知識のない一般消費者が測定情報を利用することが困難である。
【０００６】
そこで、本発明は、専門知識がなくとも、複数のセンサを分散設置し、一元的に管理して、容易に利用することが可能な検出システム等を提案することを目的とする。
【課題を解決するための手段】
【０００７】
本願発明の第１の観点は、複数のセンサと、前記複数のセンサと通信するサーバとを備える検出システムであって、前記各センサは、測定処理を行う測定部と、前記サーバと通信を行う通信部と、少なくとも前記測定部との間は着脱可能に接続する本体部とを備え、前記本体部は、実センサ設定情報を記憶する実センサ情報記憶手段と、前記実センサ情報記憶手段に記憶された前記実センサ設定情報に従って前記測定部及び前記通信部を制御する制御手段と、前記実センサ情報記憶手段に記憶された前記実センサ設定情報を変更する実センサ情報変更手段を有し、前記サーバは、前記複数のセンサのそれぞれを仮想化した複数の仮想センサの設定を示す仮想センサ情報を記憶する仮想センサ情報記憶手段と、情報処理装置から前記仮想センサ情報の一部又は全部を変更する仮想センサ情報変更指示を受信する受信手段と、前記仮想センサ情報変更指示に従って前記仮想センサ情報記憶手段に記憶された前記仮想センサ情報を変更する仮想センサ情報変更手段と、対応する前記仮想センサの前記仮想センサ情報が変更された前記センサに対して、前記仮想センサ情報の変更に応じた前記実センサ設定情報の変更を指示する実センサ情報変更指示を送信する送信手段を備え、前記センサにおいて、前記通信部は、前記実センサ情報変更指示を受信するものであり、前記実センサ情報変更手段は、前記実センサ情報変更指示に従って前記実センサ情報記憶手段に記憶された前記実センサ設定情報を変更するものであり、前記制御手段は、変更された前記実センサ設定情報に従って前記測定部及び前記通信部を制御するものである。
【０００８】
本願発明の第２の観点は、第１の観点の検出システムであって、前記センサにおいて、前記本体部と前記通信部との間は、着脱可能に接続するものであり、前記通信部は、前記制御手段の制御に従って、前記測定部が測定して収集した測定情報を前記サーバに送信するものであり、前記サーバが備える前記受信手段は、前記測定情報を受信するものであり、前記サーバは、受信した前記測定情報を記憶する測定結果記憶手段と、前記測定結果記憶手段が記憶する前記測定情報を、前記センサが測定した測定値の種類及び／又は前記センサが測定した測定環境によって情報処理を行う測定情報分析手段を備えるものである。
【０００９】
本願発明の第３の観点は、サーバに測定情報を送信するセンサであって、測定処理を行って前記測定情報を収集する測定部と、前記サーバと通信する通信部と、前記測定部及び前記通信部と着脱可能に接続する本体部とを備え、前記本体部は、実センサ設定情報を記憶する実センサ情報記憶手段と、前記通信部が前記サーバから実センサ情報変更指示を受信すると、前記実センサ情報変更指示に従って前記実センサ情報記憶手段に記憶された前記実センサ設定情報を変更する実センサ情報変更手段と、変更された前記実センサ設定情報に従って前記測定部及び前記通信部を制御する制御手段とを有するものである。
【００１０】
本願発明の第４の観点は、複数のセンサの実センサ設定情報を管理する設定情報管理方法であって、前記各センサは、測定処理を行う測定部と、サーバとの通信を行う通信部と、少なくとも前記測定部との間は着脱可能に接続する本体部とを備え、前記サーバは、前記複数のセンサのそれぞれを仮想化した複数の仮想センサの設定を示す仮想センサ構成情報を記憶する仮想センサ情報記憶手段を備え、前記サーバが備える受信手段が、情報処理装置から前記複数の仮想センサ情報の一部又は全部を変更する仮想センサ情報変更指示を受信する受信手段と、前記サーバが備える仮想センサ情報変更手段が、前記仮想センサ情報変更指示に従って前記仮想センサ情報記憶手段に記憶された前記仮想センサ情報を変更する仮想センサ情報変更ステップと、前記サーバが備える送信手段が、対応する前記仮想センサの前記仮想センサ情報が変更された前記センサに対して、前記仮想センサ構成情報に応じた前記実センサ設定情報の変更を指示する実センサ情報変更指示を送信する実センサ情報変更指示送信ステップと、前記センサが備える前記通信部が、前記実センサ情報変更指示を受信する実センサ情報変更指示受信ステップと、前記センサが備える実センサ情報変更手段が、前記実センサ情報変更指示に従って実センサ情報記憶手段に記憶された前記実センサ設定情報を変更する実センサ情報変更ステップと、前記センサが備える制御手段が、変更された前記実センサ設定情報に従って前記測定部及び前記通信部を制御する制御ステップを含むものである。
【００１１】
本願発明の第５の観点は、測定処理を行って測定情報を収集する測定部と着脱可能に接続し、サーバと通信する通信部と接続するコンピュータにおいて、実センサ情報変更手段が、前記通信部が前記サーバから実センサ情報変更指示を受信すると、前記実センサ情報変更指示に従って実センサ情報記憶手段に記憶された実センサ設定情報を変更する実センサ情報変更ステップと、制御手段が、変更された前記実センサ設定情報に従って前記測定部及び前記通信部を制御する制御ステップを実現するためのプログラムである。
【発明の効果】
【００１２】
本願発明のセンサは、本体部と計測部が着脱可能であり、本体部は、様々な種類の計測装置を付け替えができる（Pluggableである）。従来、このようなセンサは、専門家が、実際の個々のセンサのハードウエア構成等に従って、計測部の種類に応じて個別具体的にプロファイルを設定する必要があった。本願発明の各観点によれば、サーバ上においてセンサを仮想化して仮想センサとして管理することにより、センサを分散配置しても、センサの実センサ設定情報（プロファイル）をサーバにより集中的に一元管理することが可能になる。そして、サーバ上では、各センサを仮想化した情報を保持しておき、一般消費者は、パソコンやスマートフォンなどの情報処理装置から、サーバ上の仮想センサの設定を変更しさえすれば、仮想センサのプロファイル等が変更され、この変更は、実際のセンサの実センサ設定情報にも自動的に反映される。これにより、ユーザは、特別な専門知識がなくても、分散配置された複数のセンサを集中的に一元管理し、利用することが可能になる。
【００１３】
さらに、本願発明の第２の観点にあるように、本体部と通信部とは着脱可能であり、センサが設置される場所に応じて適切な通信環境を用意することが可能になる。そして、センサの計測情報は、通信部によって、サーバに集積される。そのため、複数のセンサによる計測情報の分析をも、サーバにおいて、一元的かつ総合的に行うことが可能になる。このような、いわゆるビッグデータの分析のためには、専門家のサポートが必要である。サーバ上での一元的かつ総合的な分析により、専門家がサポートして、計測情報を利用することが容易になる。
【００１４】
なお、例えば、サーバにおいて、設置場所の地図を記憶しておき、サーバ上では、仮想センサを、この地図とリンクして設置位置を管理するようにしてもよい。そして、測定情報分析手段が、測定結果の分析において、例えば、各センサの相対的な位置関係や、各センサ間にある壁の影響などを考慮するようにしてもよい。このような設置位置による分析は、その環境に生活する消費者にとっては必要な情報であるが、従来、ハードウエアをブラックボックス化するために、専門家がサービスを提供することが困難であった領域である。本願発明によれば、このような具体的な設置環境に応じたセンサの管理及び計測情報の分析も、サーバ上で一元的に実現することが可能になる。
【図面の簡単な説明】
【００１５】
【図１】本願発明の実施例に係る検出システム１の概略ブロック図である。
【図２】図１の検出システムが日常生活において使用される一例を示す図である。
【図３】図２の場面での検出システム１の動作の一例を示すフロー図である。
【図４】図１のセンサ５nのハードウエア構成の一例を示すブロック図である。
【図５】図４のＣＰＵ５３の動作の一例を示すフロー図である。
【発明を実施するための形態】
【００１６】
以下では、図面を参照して、本願発明の実施例について説明する。なお、本願発明は、この実施例に限定されるものではない。
【実施例】
【００１７】
図１は、本願発明の実施例に係る検出システム１の概略ブロック図である。検出システム１は、サーバ３（本願請求項の「サーバ」の一例）と、複数のセンサ５1，…，５N（本願請求項の「センサ」の一例）（以下、記号の添え字は、省略する場合もある。）と、情報処理装置７（本願請求項の「情報処理装置」の一例）を備える。
【００１８】
サーバ３は、インターネットにおいてクラウドサーバとして構築されたものである。サーバ３は、仮想センサ情報記憶部１１（本願請求項の「仮想センサ情報記憶手段」の一例）と、受信部１３（本願請求項の「受信手段」の一例）と、仮想センサ情報変更部１５（本願請求項の「仮想センサ情報変更手段」の一例）と、送信部１７（本願請求項の「送信手段」の一例）と、測定情報記憶部１９（本願請求項の「測定情報記憶手段」の一例）と、測定情報分析部２１（本願請求項の「測定情報分析手段」の一例）を備える。
【００１９】
センサ５n（ｎは、１からＮまでの整数）は、通信部２３（本願請求項の「通信部」の一例）と、本体部２５（本願請求項の「本体部」の一例）と、測定部２７（本願請求項の「測定部」の一例）を備える。通信部２３は、複数の通信装置２９1，…，２９Pを備える。測定部２７は、複数の測定装置４１1，…，４１Qを備える。本体部２５は、複数の通信装置接続部３１1，…，３１Pと、実センサ情報記憶部３３（本願請求項の「実センサ情報記憶手段」の一例）と、制御部３５（本願請求項の「制御手段」の一例）と、実センサ情報変更部（本願請求項の「実センサ情報変更手段」の一例）と、複数の測定装置接続部３９1，…，３９Qを備える。検出システム１の具体的な使用環境における動作の一例については、後に、図２及び図３を参照して具体的に説明する。センサ５nのハードウエア構成及び動作の一例については、後に、図４及び図５を参照して具体的に説明する。
【００２０】
情報処理装置７は、表示部４３と、入力部４５と、通信部４７を備える。
【００２１】
通信部２７の複数の測定装置４１は、それぞれ、測定処理を行うものである。各測定装置４１は、例えば、焦電、ＡＣ電流、温度、湿度、加速度、照度、ガス、気圧、熱電対、圧力などを測定するものである。測定装置４１は、本体部２５の測定装置接続部３９によって着脱可能に接続されている。各測定装置４１が測定して収集した測定情報は、通信部２３の通信装置２９によって、サーバ３に送信される。
【００２２】
通信部２３の複数の通信装置２９1，…，２９Pは、それぞれ、サーバ３との通信を行うためのものである。複数の通信装置２９は、それぞれ、例えば、有線ＬＡＮを構成したり、公衆回線（３Ｇ回線など）への接続やＷｉ−ＦｉやBluetooth（登録商標）などの無線通信により、ネットワークを構築するためのものである。センサ５nは、通信装置２９により、例えばイーサネット（登録商標）によりルータやゲートウェイを経由してインターネットに接続して、サーバ３との通信が確立している。通信装置２９は、本体部２５の通信装置接続部３１によって着脱可能に接続されている。
【００２３】
実センサ情報記憶部３３は、センサ５nのプロファイル（設定情報）（本願請求項の「実センサ設定情報」の一例）（以下、「実センサ設定情報」という。）を記憶するものである。制御部３５は、実センサ情報記憶部３３に記憶された実センサ設定情報を参照してセンサ５nの動作を制御するものである。実センサ情報変更部３７は、実センサ情報記憶部３３に記憶された実センサ設定情報を変更するものである。
【００２４】
仮想センサ情報記憶部１１は、複数のセンサ５1，…，５Nのそれぞれに対応して、各センサ５を仮想化した複数の仮想センサの設定を示す仮想センサ情報２２1，…，２２Nを記憶するものである。仮想センサ情報２２としては、例えば、仮想センサのハードウエア構成、仮想センサの使用環境などがある。また、例えば、仮想センサのプロファイル（以下、「仮想センサ設定情報」という。）を記憶しておき、仮想センサ情報２２の仮想センサ設定情報の修正に合わせて、対応するセンサ５の実センサ設定情報を修正するようにしてもよい。
【００２５】
受信部１３は、各センサ５の測定装置が測定して収集した測定情報を各センサ５から受信したり、仮想センサの一部又は全部の設定及び／又は構成を変更する仮想センサ情報変更指示を情報処理装置７から受信したりするものである。ここで、「Ａ及び／又はＢ」は、Ａ、Ｂ、又は、Ａ及びＢを意味するとする。
【００２６】
仮想センサ情報変更部１５は、情報処理装置７から受信した仮想センサ情報変更指示に従って、仮想センサ情報記憶部１１に記憶された仮想センサ情報を変更するものである。
【００２７】
測定情報記憶部１７は、各センサ５から収集した測定情報を記憶するものである。測定情報分析部１９は、測定情報記憶部１７に記憶された測定情報を分析するものである。
【００２８】
送信部２１は、情報処理装置７に対して仮想センサ情報記憶部に記憶された仮想センサ情報を送信したり、仮想センサ情報が変更されたセンサ５に対して、仮想センサ情報の変更に応じた実センサ設定情報の変更を指示する実センサ情報変更指示を送信したり、情報処理装置７に対して測定情報分析部２１の分析結果を送信したりするものである。
【００２９】
サーバ３の送信部２１がセンサ５nに対して実センサ情報変更指示を送信すると、センサ５nの通信部２３の通信装置２９が、この実センサ情報変更指示を受信する。通信装置２９が実センサ情報変更指示を受信すると、実センサ情報変更部３７は、実センサ情報変更指示に従って実センサ情報記憶部３３に記憶された実センサ設定情報を変更する。制御部３５は、変更された実センサ設定情報を参照して、センサ５nの動作を制御する。
【００３０】
情報処理装置７は、例えばパソコンやスマートフォンなどである。これは、センサ５を設置したユーザが使用するものである。情報処理装置７が備える表示部４３は、通信部４７がサーバ３から受信した仮想センサ情報記憶部１１に記憶された仮想センサ情報などを表示するものである。ユーザは、センサ５nの本体部２５に通信装置２９及び測定装置４１を接続して所定の位置に設置すると、表示部４３に表示された内容を参照して入力部４５を操作して、サーバ３におけるセンサ５nに対応する仮想センサ情報２２nが無ければこれを新たに入力したり、既にあれば既存の仮想センサ情報２２nを修正したりするための情報を入力する。
【００３１】
なお、情報処理装置７による仮想センサ情報変更御指示については、例えば、センサ５nのハードウエア構成の変更によるものが考えられる。これは、設定場所は変更せず、ハードウエア構成を、例えば低温を検出する測定装置から高温をも検出可能な測定装置に変更するような場合である。この場合には、情報処理装置７によって、サーバ３における仮想センサの測定タイミング等の設定は維持して、仮想センサのハードウエア構成の情報のみを変更してもよい。また、例えば、センサ５nのハードウエア構成を変更せずに、設置場所を変更したり、測定タイミングを変更したりすることも考えられる。この場合には、情報処理装置７によって、サーバ３における仮想センサのハードウエア構成は変更せず、仮想センサの計測タイミング等の設定のみを変更してもよい。これら両者を変更する指示も考えられる。
【００３２】
通信部４７は、サーバ３に対して、入力情報を仮想センサ情報変更指示として送信する。サーバ３において、受信部１３は、この仮想センサ情報変更指示を受信する。仮想センサ情報変更部１５は、仮想センサ情報変更指示に従いセンサ５nの仮想センサ情報を変更する。送信部２１は、センサ５nに対して、実センサ情報変更指示を送信する。
【００３３】
図２及び図３を参照して、センサ５nの設置から情報処理装置７による計測結果の受信までの概要を説明する。図２は、図１の検出システムが日常生活において使用される一例を示す図である。図３は、図２の場面での検出システム１の動作の一例を示すフロー図である。
【００３４】
図２及び図３の例では、ユーザは、センサ５nの本体部２５に、加速度を測定する測定装置４１と、Ｗｉ−Ｆｉなどの無線ＬＡＮのための通信装置２９を接続し、センサ５nをドアに設置する（図３のステップＳＴＰ１）。このように、センサ５nは、様々な測定機能や通信機能を実現できるため、いわば、スマートセンサボックスとも称すことができるものである。接続後、ユーザは、センサ５nの電源を入れると、センサ５nは、初期化処理を行う（図３のステップＳＴＰ２）。例えば、接続している測定装置４１及び通信装置２９の種類を確認したり、通信装置２９により、サーバ３との通信経路を確立したりする。図２では、センサ５nとサーバ３との間の通信は、センサ５nの制御部３５の制御によって、ルータ９を経由して実現されているとする。
【００３５】
ユーザは、自身が保有する情報処理装置７を操作して、クラウド上に構築されたサーバ３に対して、センサ５nに対応する仮想センサの構成や使用環境等を設定するための仮想センサ情報変更指示を送信する（図３のステップＳＴＰ３）。
【００３６】
サーバ３では、仮想センサ情報変更指示に従って仮想センサ情報２２nを修正する。センサ５nが、加速度を測定する場合であっても、例えば、ドアに設ける場合と、ボール等に設ける場合では、その実センサ設定情報は異なることが望ましい。なぜなら、ドアに設ける場合には定型的な動きとなるが、ボール等に設ける場合には不規則な動きとなり、判断に必要なデータが異なるため、計測間隔等を変えることが望ましく、実センサ設定情報を異なるようにした方が望ましいためである。また、例えば、焦電を測定する場合には、赤外線を含めた光の変化を検出するため、ある程度の速度での変化が求められ、検体がゆっくりと移動する場合には、検知できない可能性もある。このようなセンサのプロファイルを設定したり修正したりするには、例えば、プログラムを書いてハードウエアに転送して設定を行うことが考えられる。しかし、これは、極めて高度な専門知識を前提とする。また、センサにつまみ等の特別な部品を付属して調整する手法等も考えられる。しかし、このような手法では、一般的には、簡易的な設定のみが実現されることとなる。
【００３７】
本願発明によれば、ユーザは、サーバ３の仮想センサを操作するだけで足りる。サーバ３は、センサ５nに対して、修正後の仮想センサに対応する実センサ設定情報を設定するための実センサ情報変更指示を送信する。センサ５nの実センサ情報変更部３７は、実センサ情報変更指示に従い、実センサ設定情報を修正する（図３のステップＳＴＰ４）。
【００３８】
センサ５nの制御部３５は、修正後の実センサ設定情報を参照して、測定装置４１により計測された計測情報をサーバ３に送信する（図３のステップＳＴＰ５）。そして、サーバ３の測定情報分析部１９は、例えば定期的にドアの開閉がなされたことによりお年寄りが元気に生活していることなどを分析して（図３のステップＳＴＰ６）、その旨を情報処理装置７へ送信する（図３のステップＳＴＰ７）。
【００３９】
これにより、センサ５nを設置したユーザは、特別な専門知識がなくても、センサ５nの実際のハードウエア構成等に合わせてサーバ３上の仮想センサを操作するだけで、センサ５nを利用したサービスを利用することができる。
【００４０】
なお、例えば、サーバ３は、実センサ情報変更指示に仮想センサのハードウエア構成を示す情報を付加しておき、センサ５nの実センサ情報変更部３７は、受信した実センサ情報変更指示に含まれる仮想センサのハードウエア構成と、実際のハードウエア構成との整合性をチェックして、整合すれば実センサ情報変更指示に従った修正を行い、整合しなければ誤りである旨の情報をサーバ３に送信するようにしてもよい。また、センサ５の数は、膨大なものになることが予想される。各センサ５を識別するために、各センサ５にＩＤを付与するようにしてもよい。ＩＤは、例えば、ＩＰアドレスやＭＡＣアドレスのような他の識別情報を利用してもよく、また、ユーザや設置場所を基準にした局所的な独自のものであってもよい。
【００４１】
続いて、図４及び図５を参照して、図１のセンサ５nの構成及び動作について、具体的に説明する。
【００４２】
図４は、図１のセンサ５nのハードウエア構成の一例を示すブロック図である。図１と同じものについては、同じ符号を付している。図４では、通信部２３において、有線ＬＡＮのための通信装置２９1と、無線ＬＡＮのためのＷｉ−Ｆｉの通信装置２９2が存在する。通信装置２９1及び２９2は、それぞれ、通信装置接続部３１1及び３１2により、本体部２５と接続する。通信装置接続部３１1及び３１2は、例えばコネクタであり、各通信装置２９と本体部２５とを着脱可能に接続するためのものである。
【００４３】
また、測定部２７には、加速度の測定装置４１1と、焦電の測定装置４１2と、ＡＣ電流の測定装置４１3と、湿度の測定装置４１4が存在する。これらの測定装置は、それぞれ、通信装置接続部３１1及び３１2により、本体部２５と接続する。測定装置４１1〜４１4は、それぞれ、測定装置接続部３９1〜３９4により本体部２５と接続する。測定装置接続部３９1〜３９4は、例えばコネクタであり、着脱可能に接続するためのものである。なお、各測定装置には、個別に処理装置を設けて動作するものでもよく、また、ＣＰＵ５３の制御によって動作するものであってもよい。
【００４４】
本体部２５は、さらに、ＮＩＣ５１と、ＣＰＵ５３と、メモリ５５を備える。メモリ５５は、プロファイルを記憶し、図１の実センサ情報記憶部３３に対応する。ＮＩＣ５１は、ネットワークインターフェースコントローラであり、通信装置２９による通信を制御する。また、ＣＰＵ５３は、中央処理装置として、プログラムに従って、センサ５nの動作を制御する。ＮＩＣ５１とＣＰＵ５３は、図１の制御部３５に対応する。また、ＣＰＵ５３は、メモリ５５のプロファイルを変更するものとして、図１の実センサ情報変更部３７に対応する。
【００４５】
図５は、図４のＣＰＵ５３の動作の一例を示すフロー図である。ＣＰＵ５３は、処理を開始すると、初期化処理を行う（図５のステップＳＴ１）。初期状態では、すべてのデバイスは、スレーブ状態（他の装置の動作に従って動作する状態）であるとする。そして、通信装置２９を制御して、サーバ３との間の通信を確立する。その後、ＣＰＵ５３をマスター状態（他の装置に対して動作する状態）にする。続いて、ＣＰＵ５３は、測定装置４１をスキャンして、接続されている測定装置４１を認識する（図５のステップＳＴ２）。ＣＰＵ５３は、メモリ５５に、測定装置４１の接続情報を保存する（図５のステップＳＴ３）。
【００４６】
続いて、接続している測定装置４１のポーリング動作（図５のステップＳＴ４〜ＳＴ１１）を行う。具体的には、ＣＰＵ５３は、測定装置４１を選択し（図５のステップＳＴ４）、選択した測定装置４１からデータを取得する状態とする（図５のステップＳＴ５）。そして、マスター状態からスレーブ状態へ移行し、測定装置４１の動作によって動作する状態となる（図５のステップＳＴ６）。計測装置により計測されたデータがあるか否かを判断し（図５のステップＳＴ７）、データがあればデータ処理（例えば、データをサーバ３に送信する処理など）を行い（図５のステップＳＴ８）、プロファイルによって定められる時間（図５では、８ｍｓを例示している。）が経過するまで繰り返し処理を行い（図５のステップＳＴ９）、バスがアクティブ状態であれば、ノンアクティブ状態になるまで待機し（図５のステップＳＴ１０）、ノンアクティブ状態となれば、スレーブ状態からマスター状態へと移行して（図５のステップＳＴ１１）、次の測定装置に対して同様の処理を行う（図５のステップＳＴ４〜ＳＴ１１）。ＣＰＵ５３は、バスがアクティブな状態であるため待機する間などには、他の動作を行ってもよい。
【００４７】
図５の動作により、通信装置２９及び／又は測定装置４１が置き換えられ、ハードウエア構成が変更されても、センサ５nは動作して、計測処理を行い、その計測結果をサーバ３に送信することができる。プロファイルについては、サーバ３の仮想センサの情報が修正されたときに、実センサ情報変更指示に従い、修正する。
【００４８】
なお、図５では、ＣＰＵ５３がポーリングする場合の一例である。例えば外的要因をきっかけとしてセンサが動くような場合（例えば動作したことをきっかけとして、電流が流れ（電力を消費し）、センサが動くような場合）についても、同様に実現することが可能である。本願発明は、図５の場合に限定されないものである。
【符号の説明】
【００４９】
１  検出システム、３  サーバ、５1，…，５N  センサ、７  情報処理装置、９  ルータ、１１  仮想センサ情報記憶部、１３  受信部、１５  仮想センサ情報変更部、１７  測定情報記憶部、１９  測定情報分析部、２１  送信部、２２1，…，５N  仮想センサ情報、２３  通信部、２５  本体部、２７  測定部、２９1，…，２９P  通信装置、３１1，…３１P  通信装置接続部、３３  実センサ情報記憶部、３５  制御部、３７  実センサ情報変更部、３９1，…，３９Q測定装置接続部、４１1，…，４１Q  測定装置、４３  表示部、４５  入力部、４７  通信部、５１  ＮＩＣ、５３  ＣＰＵ、５５  メモリ
【図１】
2014038568.tif 000003
【図３】
2014038568.tif 000004
【図４】
2014038568.tif 000005
【図５】
2014038568.tif 000006
【図２】
2014038568.tif 000007